(57)【要約】【課題】剣道用小手の手の甲部に充填する緩衝材の偏りを防止して、手の甲部における所定の衝撃吸収力を常に保持すること。【解決手段】剣道用小手１において、手の甲部１１の両面を所定の箇所で連続的に接合することで、膨出形成される膨出部１４を設けることとした。【選択図】        図１
2006141537.tif 000002
【特許請求の範囲】
【請求項１】
手先が挿入されるころも部の手の甲部が袋状に形成され、該手の甲部に衝撃を吸収するための緩衝材が充填された剣道用小手であって、
前記手の甲部の両面を所定の箇所で連続的に接合することで膨出形成される膨出部を設けたことを特徴とする剣道用小手。
【請求項２】
請求項１に記載の剣道用小手であって、
前記手の甲部が指の真直方向に対して直交する方向で接合されることを特徴とする剣道用小手。
【発明の詳細な説明】
【技術分野】
【０００１】
本発明は、剣道用小手に関する。詳細には、手の甲部の両面を接合することで膨出形成させた膨出部を設けた剣道用小手に関する。
【背景技術】
【０００２】
従来の剣道用小手が図７に示されている。この剣道用小手１は、手先が挿入されるころも部１０を備えている。ころも部１０は、手の甲側に配置された手の甲部１１と、手のひら側に配置された手の内部１２から構成されている。手の甲部１１は袋状に形成されて、手の甲部１１内に羊毛等の緩衝材１３が充填されている。この緩衝材１３は、竹刀が手の甲部１１に打たれた際の衝撃を吸収してその衝撃による痛みを競技者に感じさせないようしている。この種の関連技術として下記に示す特許文献１が挙げられる。
【０００３】
【特許文献１】特開平１１−２０６９５０号公報
【発明の開示】
【発明が解決しようとする課題】
【０００４】
しかし、上述の剣道用小手１では、何回か装着を繰り返しているうちに緩衝材１３が手の甲部１１の内部で偏ってしまう傾向があり、手の甲部１１に肉薄な部分が生じてしまう。すなわち、従来の剣道用小手では手の甲部１１に肉薄な部分ができるために衝撃を十分に吸収することができない場合があり、この場合手の甲部に竹刀が打たれると競技者が衝撃による痛みを感じやすくなるという問題がある。
本発明は上記のような問題に鑑みてなされたものであり、本発明が解決しようとする課題は、手の甲部に充填する緩衝材の偏りを防止して、手の甲部における所定の衝撃吸収力を常に保持することにある。
【課題を解決するための手段】
【０００５】
本発明は前記課題を解決するために、次の手段をとる。
まず、第１の発明は、手先が挿入されるころも部の手の甲部が袋状に形成され、該手の甲部に衝撃を吸収するための緩衝材が充填された剣道用小手であって、前記手の甲部の両面を所定の箇所で連続的に接合することで、膨出形成される膨出部を設けたことを特徴とする。
【０００６】
この第１の発明では、袋状に形成された手の甲部に緩衝材を充填し、手の甲部の両面を接合する。すなわち、手の甲部の表面と裏面を所定の箇所で連続的に接合することで充填された緩衝材の移動を防止する。そして、前記接合により膨出形成させた膨出部を手の甲部に設けることで手の甲部に竹刀が打たれた際、常に衝撃吸収力を良好に作用することができる。
なお、手の甲部の両面を接合することでその接合部分が肉薄な部分となるが、該接合部分は一般的な竹刀の径よりも小さい幅として形成されるものであり、竹刀が該接合部分に直接打たれることは想定され得ないため、この解決手段は本発明の解決課題に反しないものである。
【０００７】
手の甲部に充填する緩衝材としては、鹿毛、羊毛、フェルトなどが用いられる。特に、鹿毛は中空状（パイプ状）の素材であるため、緩衝材として鹿毛を用いるとより衝撃吸収力を良好に発揮することができる。
なお、本発明において「接合」とは、手の甲部の表面と裏面つぎあわすことを意味している。例えば、手の甲部の表面と裏面を縫止糸により縫止させたり、接着剤により接着させたりすることを意味している。
【０００８】
次に第２の発明は、請求項１に記載の剣道用小手であって、前記手の甲部が指の真直方向に対して直交する方向で接合されることを特徴とする。
この第２の発明では、手の甲部における接合方向を指の真直方向に対して直交する方向とすることで手首と指を曲げる際の動作がスムーズになる。
【０００９】
本発明は上述した手段をとることにより、次の効果を得ることができる。
まず、第１の発明においては、手の甲部に充填された緩衝材の偏りが防止され、手の甲部における所定の衝撃吸収力を常に保持することができる。
次に第２の発明によれば、剣道用小手を装着して手首と指を曲げる際の動作がスムーズに行われる。
【発明を実施するための最良の形態】
【００１０】
以下、本発明の実施の形態について図面を参照しながら詳細に説明する。
図１は、剣道用小手１を手の甲部１１側（外側）から見た平面図である。図２は、剣道用小手１を手の内部１２側（内側）から見た平面図である。図３は、剣道用小手１を親指部１０ｂ側から見た平面図である。図４は、図３において小手頭１０ａを紙面に対して直交する方向の中間位置でＡ−Ａ線に沿って切断した断面図である。
本実施形態に係る剣道用小手１は、図１によく示されるように、図１で見て下側から左手を挿入する左手用であり、主に剣道の練習や試合で競技者の手を保護するために装着される。本実施形態では、左手用の剣道用小手１のみを示し、右手用の剣道用小手１の構成は左手用と同様であるためその説明は省略する。
【００１１】
図１〜図３に示すように、剣道用小手１は、手先が挿入されるころも部１０と、腕を覆う小手布団３０を備えており、当該順序で連設接合されている。すなわち、ころも部１０の図１で見て下側に小手布団３０が縫合されることで一体の剣道用小手１を構成している。
【００１２】
図２に示すように、小手布団３０は略Ｕ字状に形成され、手の内部１２側で開口した状態となっている。また、小手布団３０の両端縁にはひも穴４１が複数個設けられており、小手ひも４０がひも穴４１に互い違いで挿入され小手布団３０の下側で結ばれている。この小手ひも４０による締め付けにより腕から手首にかけての締め付け具合を調整している。なお、小手布団３０についても後述する手の甲部１１と同様な構成で緩衝材１３を充填しておくこともできる。
【００１３】
ころも部１０は、手の甲を覆う手の甲部１１と手のひらを覆う手の内部１２を備えている。手の甲部１１と手の内部１２は、その端縁が合わせ部材１６を介して縫合させて一体のころも部１０を構成している。従って、ころも部１０の手の甲部１１と手の内部１２との間は競技者の手先が挿入できる空間部となっている。また、ころも部１０は、その手先側（図１で見て上側）は分割形成され、親指以外の４本の指を挿入する小手頭１０ａと、親指を挿入する親指部１０ｂが設けられている。図２に示すように、小手頭１０ａと親指部１０ｂの下方に位置する挿入部１０ｃは手先を挿入させるために縫合せず開口させた状態となっている。なお、手の甲部１１と手の内部１２は、競技者の好みに応じて牛革、鹿革、合成革、布などを用いることができる
【００１４】
手の甲部１１は、袋状に形成されておりその内部には衝撃を吸収するための緩衝材１３が充填されている。このため、手の甲部１１は手の内部１２よりも肉厚に形成されている。そして、図１によく示されるように、手の甲部１１は、その複数の所定の箇所で縫止糸１５により指の真直方向に対して直交する方向で連続的に縫合されている。これにより剣道用小手を装着して手首や指を曲げる際の動作がスムーズに行われる。
【００１５】
また、図４によく示されるように、手の甲部１１の表面１１ａと裏面１１ｂが４箇所で縫止糸１５により縫合され、手の甲部１１には膨出形成された５つの膨出部１４が形成されている。これにより緩衝材１３が特定の方向に偏ることが防止され、肉薄の部分が生じにくくなる。つまり、手の甲部１１において両面を接合し膨出部１４が形成されることで、手の甲部１１における所定の衝撃吸収力を保持することができ、手の甲部１１に竹刀が打たれた場合でも競技者は衝撃による痛みを感じることが少なくなる。なお、縫合する箇所は、競技者の手の大きさ等に合わせて５〜６箇所とすることも可能である。
【００１６】
本発明は上記実施形態の構成に限定されることはなく、その他種々の形態で実施ができるものである。
例えば、上記実施形態では手の甲部１１において縫止糸１５が指の真直方向に対して直交する方向で縫合されているが、図５に示すように手の甲部１１において指の真直方向に接合させる場合や、図６に示すように手の甲部１１において指の真直方向に対して斜め方向に接合させる場合であってもよい。この場合、手の甲部１１における所定の衝撃吸収力を常に保持できることに加え、その外観が斬新的なデザインとなるため剣道用小手１の美感に変化を持たせることができる。また、本実施形態では、ころも部１１において親指以外の４本の指が一体として挿入されるように分割形成されているが、各指が別々に挿入されるように分割形成させてもよい。
【図面の簡単な説明】
【００１７】
【図１】本実施形態に係る剣道用小手を手の甲部側（外側）から見た平面図である。
【図２】本実施形態に係る剣道用小手を手の内部側（内側）から見た平面図である。
【図３】本実施形態に係る剣道用小手を親指部側から見た平面図である。
【図４】図３におけるＡ−Ａ線断面図である。
【図５】手の甲部を指の真直方向に接合した場合の実施形態を示す平面図である。
【図６】手の甲部を指の真直方向に対して斜め方向に接合した場合の実施形態を示す平面図である。
【図７】従来の剣道用小手を手の甲部側（外側）から見た平面図である。
【符号の説明】
【００１８】
１    剣道用小手
１０  ころも部
１０ａ      小手頭
１０ｂ      親指部
１０ｃ      挿入部
１１  手の甲部
１１ａ      表面
１１ｂ      裏面
１２  手の内部
１３  緩衝材
１４  膨出部
１５  縫止糸
１６  合わせ部材
３０  小手布団
４０  小手ひも
４１  ひも穴
【図１】
2006141537.tif 000003
【図２】
2006141537.tif 000004
【図３】
2006141537.tif 000005
【図４】
2006141537.tif 000006
【図５】
2006141537.tif 000007
【図６】
2006141537.tif 000008
【図７】
2006141537.tif 000009